(57)【要約】【課題】演出効果及び装飾効果の高い遊技機を提供する。また、より使用者の遊技意欲を高めることのできる遊技機を提供することを目的とする。【解決手段】遊技機の遊技盤の前面に、遊技者側から表示画面を透して遊技盤が視認可能な表示画面を設ける。遊技者は、前面に表示される表示画面の画像を楽しみながら、背面の遊技盤の状態も確認できる。透光性の表示画面は、複数重なるように設けてもよく、遊技盤にも表示画面を設けることができるので、複雑で多様な表示を行うことができる。また、表示画面には入力手段を設け、その入力手段によって遊技者は遊技状態を変化させることができる。【選択図】図１
2006289068.tif 000002
【特許請求の範囲】
【請求項１】
透光性基板に設けられた一対の透光性電極の間に発光物質を含む発光素子により構成された表示画面と、前記表示画面に設けられた入力手段と、前記表示画面の背面に遊技盤とを有し、
前記表示画面と前記遊技盤との間に、光反射性を有する球を通過させて前記発光素子の発光を散乱させることを特徴とする遊技機。
【請求項２】
透光性基板に設けられた一対の透光性電極の間に発光物質を含む発光素子により構成された表示画面と、前記表示画面に設けられた入力手段と、前記表示画面の背面に遊技盤とを有し、
前記表示画面と前記遊技盤との間に、光反射性を有する球を通過させて前記発光素子の発光を散乱させ、
前記入力手段によって入力される情報により前記表示画面が変化することを特徴とする遊技機。
【請求項３】
透光性基板に設けられた一対の透光性電極の間に発光物質を含む発光素子により構成された表示画面と、前記表示画面に設けられた入力手段と、前記表示画面の背面に遊技盤とを有し、
前記表示画面と前記遊技盤との間に、光反射性を有する球を通過させて前記発光素子の発光を散乱させ、
前記入力手段によって入力される情報により遊技状態が変化することを特徴とする遊技機。
【請求項４】
透光性基板に設けられた一対の透光性電極の間に発光物質を含む発光素子により構成された表示画面と、前記表示画面に設けられた入力手段と、前記表示画面の背面に遊技盤と、遊技状態を検出する検出手段とを有し、
前記表示画面と前記遊技盤との間に、光反射性を有する球を通過させて前記発光素子の発光を散乱させ、
前記入力手段によって入力される情報により遊技状態が変化し、前記検出手段によって前記遊技状態を検出されると、前記検出された遊技状態に応じて前記表示画面が変化し情報を表示することを特徴とする遊技機。
【請求項５】
請求項１乃至４いずれか一項において、前記表示画面は映像信号に基づき表示を行い、前記映像信号が入力される駆動回路部を有し、前記駆動回路部は、前記表示画面の表示に応じて階調制御を行うための回路を有することを特徴とする遊技機。
【請求項６】
請求項１乃至４いずれか一項において、前記表示画面は映像信号に基づき表示を行い、前記映像信号が入力される駆動回路部を有し、前記駆動回路部は、前記表示画面の表示に応じて階調制御を行うための制御回路を有することを特徴とする遊技機。
【請求項７】
請求項１乃至４いずれか一項において、前記表示画面は映像信号に基づき表示を行い、前記映像信号が入力される駆動回路部を有し、前記駆動回路部は、前記表示画面の第１の領域の表示に応じて前記発光素子の発光強度を制御し、かつ第２の領域における前記発光素子の発光強度を制御するための制御回路を有することを特徴とする遊技機。
【請求項８】
請求項１乃至４いずれか一項において、前記表示画面は映像信号に基づき表示を行い、前記映像信号が入力される駆動回路部を有し、前記駆動回路部は、前記表示画面の表示に応じて前記発光素子の複数の発光強度を制御するための制御回路を有することを特徴とする遊技機。
【請求項９】
透光性基板に設けられた一対の透光性電極の間に発光物質を含む発光素子により構成された第１の表示画面と、前記第１の表示画面に設けられた入力手段と、前記第１の表示画面の背面に第２の表示画面と、前記第２の表示画面を前記第２の表示画面表面に対して平行な軸を回転軸として回転させる回転開始手段と回転停止手段とを有し、
前記回転開始手段によって回転させ前記第２の表示画面に３次元画像を表示し、前記回転停止手段によって停止させ前記第２の表示画面を２次元画像に切り替えることを特徴とする遊技機。
【請求項１０】
透光性基板に設けられた一対の透光性電極の間に発光物質を含む発光素子により構成された第１の表示画面と、前記第１の表示画面に設けられた入力手段と、前記第１の表示画面の背面に第２の表示画面と、前記第２の表示画面を前記第２の表示画面表面に対して平行な軸を回転軸として回転させる回転開始手段と回転停止手段とを有し、
前記回転開始手段によって回転させ前記第２の表示画面に３次元画像を表示し、前記回転停止手段によって停止させ前記第２の表示画面を２次元画像に切り替え、
前記入力手段によって入力される情報により前記第１の表示画面が変化することを特徴とする遊技機。
【請求項１１】
透光性基板に設けられた一対の透光性電極の間に発光物質を含む発光素子により構成された第１の表示画面と、前記第１の表示画面に設けられた入力手段と、前記第１の表示画面の背面に第２の表示画面と、前記第２の表示画面を前記第２の表示画面表面に対して平行な軸を回転軸として回転させる回転開始手段と回転停止手段とを有し、
前記回転開始手段によって回転させ前記第２の表示画面に３次元画像を表示し、前記回転停止手段によって停止させ前記第２の表示画面を２次元画像に切り替え、
前記入力手段によって入力される情報により遊技状態が変化することを特徴とする遊技機。
【請求項１２】
透光性基板に設けられた一対の透光性電極の間に発光物質を含む発光素子により構成された第１の表示画面と、前記第１の表示画面に設けられた入力手段と、前記第１の表示画面の背面に第２の表示画面と、前記第２の表示画面を前記第２の表示画面表面に対して平行な軸を回転軸として回転させる回転開始手段と回転停止手段と、遊技状態を検出する検出手段とを有し、
前記回転開始手段によって回転させ前記第２の表示画面に３次元画像を表示し、前記回転停止手段によって停止させ前記第２の表示画面を２次元画像に切り替え、
前記入力手段によって入力される情報により遊技状態が変化し、前記検出手段によって前記遊技状態を検出されると、前記検出された遊技状態に応じて前記第１の表示画面が変化し情報を表示することを特徴とする遊技機。
【請求項１３】
請求項９乃至１２いずれか一項において、前記第１の表示画面は映像信号に基づき表示を行い、前記映像信号が入力される駆動回路部を有し、前記駆動回路部は、前記第１の表示画面の表示に応じて階調制御を行うための回路を有することを特徴とする遊技機。
【請求項１４】
請求項９乃至１２いずれか一項において、前記第１の表示画面は映像信号に基づき表示を行い、前記映像信号が入力される駆動回路部を有し、前記駆動回路部は、前記第１の表示画面の表示に応じて階調制御を行うための制御回路を有することを特徴とする遊技機。
【請求項１５】
請求項９乃至１２いずれか一項において、前記第１の表示画面は映像信号に基づき表示を行い、前記映像信号が入力される駆動回路部を有し、前記駆動回路部は、前記第１の表示画面の第１の領域の表示に応じて前記発光素子の発光強度を制御し、かつ第２の領域における前記発光素子の発光強度を制御するための制御回路を有することを特徴とする遊技機。
【請求項１６】
請求項９乃至１２いずれか一項において、前記第１の表示画面は映像信号に基づき表示を行い、前記映像信号が入力される駆動回路部を有し、前記駆動回路部は、前記第１の表示画面の表示に応じて前記発光素子の複数の発光強度を制御するための制御回路を有することを特徴とする遊技機。
【請求項１７】
請求項１乃至１６いずれか一項において、前記入力手段はセンサであることを特徴とする遊技機。
【請求項１８】
請求項１乃至１６いずれか一項において、前記入力手段はタッチパネルであることを特徴とする遊技機。
【発明の詳細な説明】
【技術分野】
【０００１】
本発明は、表示装置を有する遊技機に関する。
【背景技術】
【０００２】
遊技者が所定の遊技を行うことが可能な遊技機として、パチンコ機やスロットマシン、大型ゲーム機等の遊技機がある。これらの遊技機では、遊技者が退屈せず、その遊技を楽しめるように、遊技盤面にランプや発光ダイオード（ＬＥＤともいう）などを設け、遊技状態によって光らせたり、点滅させたりする機能を具備させている。
【０００３】
さらに、遊技者の遊技意欲を高めるために、遊技盤上に発光手段を設け、より視覚的に強い刺激を与える工夫がされている（例えば、特許文献１参照。）。
【特許文献１】特開平８−２１５３８２号公報
【発明の開示】
【発明が解決しようとする課題】
【０００４】
本発明では、演出効果及び装飾効果の高い遊技機を提供する。また、より使用者の遊技意欲を高めることのできる遊技機を提供することを目的とする。
【課題を解決するための手段】
【０００５】
本発明においては、遊技機の遊技盤の前面に、遊技者側から表示画面を透して遊技盤が視認可能な表示画面を設ける。遊技者は、前面に表示される表示画面の画像を楽しみながら、背面の遊技盤の状態も確認できる。透光性の表示画面は、複数重なるように設けてもよく、遊技盤にも表示画面を設けることができるので、複雑で多様な表示を行うことができる。また、表示画面には入力手段を設け、その入力手段によって遊技者は遊技状態を変化させることができる。また入力手段により、遊技機周囲、遊技者の状態を検出し、遊技機の使用効率を高めたり、不正行為などに対する防犯を行ったりすることができる。本発明の遊技機は、刺激的な多彩な画像と、表示画面に映し出される入力手段を用いた多様な操作方法によって、自分独自の遊技を楽しむことができ、多いに遊技意欲を高めることができる。
【０００６】
本発明を用いることのできる表示装置には、エレクトロルミネセンス（以下「ＥＬ」ともいう。）と呼ばれる発光を発現する有機物、無機物、若しくは有機物と無機物の混合物を含む層を、電極間に介在させた発光素子とＴＦＴとが接続された発光表示装置がある。エレクトロルミネセンス素子は、高輝度で発光させることができるため、刺激的な多彩な画像を表示することができる。発光素子より得られる発光は、例えば輝度１００ｃｄ／ｍ２〜１００００ｃｄ／ｍ２と高い。発光表示装置は、応答が早く、自発光表示なので表示装置の薄型化、軽量化ができる利点がある。本発明で適用することのできるエレクトロルミネセンスを利用する発光素子は、発光材料が有機化合物であるか、無機化合物であるかによって区別され、一般的に、前者は有機ＥＬ素子、後者は無機ＥＬ素子と呼ばれている。
【０００７】
本発明は、パチンコ機、スロットルマシンなどの遊技機の他にも、ピンボール機、ゲーム機など表示装置を有するあらゆる遊技機に適用することができる。
【０００８】
本発明の遊技機の一は、透光性基板に設けられた一対の透光性電極の間に発光物質を含む発光素子により構成された表示画面と、表示画面に設けられた入力手段と、表示画面の背面に遊技盤とを有し、表示画面と遊技盤との間に、光反射性を有する球を通過させて発光素子の発光を散乱させる。
【０００９】
本発明の遊技機の一は、透光性基板に設けられた一対の透光性電極の間に発光物質を含む発光素子により構成された表示画面と、表示画面に設けられた入力手段と、表示画面の背面に遊技盤とを有し、表示画面と遊技盤との間に、光反射性を有する球を通過させて発光素子の発光を散乱させ、入力手段によって入力される情報により表示画面が変化する。
【００１０】
本発明の遊技機の一は、透光性基板に設けられた一対の透光性電極の間に発光物質を含む発光素子により構成された表示画面と、表示画面に設けられた入力手段と、表示画面の背面に遊技盤とを有し、表示画面と遊技盤との間に、光反射性を有する球を通過させて発光素子の発光を散乱させ、入力手段によって入力される情報により遊技状態が変化する。
【００１１】
本発明の遊技機の一は、透光性基板に設けられた一対の透光性電極の間に発光物質を含む発光素子により構成された表示画面と、表示画面に設けられた入力手段と、表示画面の背面に遊技盤と、遊技状態を検出する検出手段とを有し、表示画面と遊技盤との間に、光反射性を有する球を通過させて発光素子の発光を散乱させ、入力手段によって入力される情報により遊技状態が変化し、検出手段によって遊技状態を検出されると、検出された遊技状態に応じて表示画面が変化し情報を表示する。
【００１２】
本発明の遊技機の一は、透光性基板に設けられた一対の透光性電極の間に発光物質を含む発光素子により構成された第１の表示画面と、第１の表示画面に設けられた入力手段と、第１の表示画面の背面に第２の表示画面と、第２の表示画面を第２の表示画面表面に対して平行な軸を回転軸として回転させる回転開始手段と回転停止手段とを有し、回転開始手段によって回転させ第２の表示画面に３次元画像を表示し、回転停止手段によって停止させ第２の表示画面を２次元画像に切り替える。
【００１３】
本発明の遊技機の一は、透光性基板に設けられた一対の透光性電極の間に発光物質を含む発光素子により構成された第１の表示画面と、第１の表示画面に設けられた入力手段と、第１の表示画面の背面に第２の表示画面と、第２の表示画面を第２の表示画面表面に対して平行な軸を回転軸として回転させる回転開始手段と回転停止手段とを有し、回転開始手段によって回転させ第２の表示画面に３次元画像を表示し、回転停止手段によって停止させ第２の表示画面を２次元画像に切り替え、入力手段によって入力される情報により第１の表示画面が変化する。
【００１４】
本発明の遊技機の一は、透光性基板に設けられた一対の透光性電極の間に発光物質を含む発光素子により構成された第１の表示画面と、第１の表示画面に設けられた入力手段と、第１の表示画面の背面に第２の表示画面と、第２の表示画面を第２の表示画面表面に対して平行な軸を回転軸として回転させる回転開始手段と回転停止手段とを有し、回転開始手段によって回転させ第２の表示画面に３次元画像を表示し、回転停止手段によって停止させ第２の表示画面を２次元画像に切り替え、入力手段によって入力される情報により遊技状態が変化する。
【００１５】
本発明の遊技機の一は、透光性基板に設けられた一対の透光性電極の間に発光物質を含む発光素子により構成された第１の表示画面と、第１の表示画面に設けられた入力手段と、第１の表示画面の背面に第２の表示画面と、第２の表示画面を第２の表示画面表面に対して平行な軸を回転軸として回転させる回転開始手段と回転停止手段と、遊技状態を検出する検出手段とを有し、回転開始手段によって回転させ第２の表示画面に３次元画像を表示し、回転停止手段によって停止させ第２の表示画面を２次元画像に切り替え、入力手段によって入力される情報により遊技状態が変化し、検出手段によって遊技状態を検出されると、検出された遊技状態に応じて第１の表示画面が変化し情報を表示する。
【００１６】
上記構成において、表示画面は映像信号に基づき表示を行い、映像信号が入力される駆動回路部を有し、駆動回路部は、表示画面の表示に応じて階調制御を行うための回路を有することもできる。
【００１７】
上記構成において、表示画面は映像信号に基づき表示を行い、映像信号が入力される駆動回路部を有し、駆動回路部は、表示画面の表示に応じて階調制御を行うための制御回路を有することもできる。
【００１８】
上記構成において、表示画面は映像信号に基づき表示を行い、映像信号が入力される駆動回路部を有し、駆動回路部は、表示画面の第１の領域の表示に応じて前記発光素子の発光強度を制御し、かつ第２の領域における前記発光素子の発光強度を制御するための制御回路を有することもできる。
【００１９】
上記構成において、表示画面は映像信号に基づき表示を行い、映像信号が入力される駆動回路部を有し、駆動回路部は、表示画面の表示に応じて前記発光素子の複数の発光強度を制御するための制御回路を有することもできる。
【発明の効果】
【００２０】
本発明を用いると、演出効果及び装飾効果の高い遊技機を作製できる。また、より使用者の遊技意欲を高めることのできる遊技機を提供することができる。
【発明を実施するための最良の形態】
【００２１】
本発明の実施の形態について、図面を用いて詳細に説明する。但し、本発明は以下の説明に限定されず、本発明の趣旨及びその範囲から逸脱することなくその形態及び詳細を様々に変更し得ることは当業者であれば容易に理解される。従って、本発明は以下に示す実施の形態の記載内容に限定して解釈されるものではない。なお、以下に説明する本発明の構成において、同一部分又は同様な機能を有する部分には同一の符号を異なる図面間で共通して用い、その繰り返しの説明は省略する。
【００２２】
（実施の形態１）
本実施の形態における遊技機を、図１乃至図３を用いて説明する。なお、本実施の形態においては、遊技機としてパチンコ機を例にとって示す。
【００２３】
図１は本実施の形態における遊技機の正面図であり、図２は、表示画面と垂直な面で切断した断面図である。本実施の形態の遊技機は、筐体３００、表示画面３０１、表示画面３０２、遊技盤３０３、表示画面３０５、打球供給皿３０６、記憶カード差し込み口３０７、打球操作ハンドル３０８、余剰球受皿３０９、透光性基板３１０、入力手段であるセンサ３０４、入力手段を有する表示画面３１１を含む。
【００２４】
表示画面３０２を有する表示装置は、第１の透光性電極３２１と、第２の透光性電極３２３と、それらの間に介在する発光性物質を有する層３２２とで構成されており、透光性基板３１０に設けられている。透光性基板３１０の遊技者側には入力手段であるセンサ３０４が設けられている。遊技者側から最も背面にある遊技盤３０３には、釘３１２、表示画面３０１が設けられている。本明細書において、透光性とは少なくとも可視光の波長の領域の光を透過する性質のことである。
【００２５】
透光性電極３２３、発光性物質を含む層３２２、透光性電極３２１、透光性基板３１０は透光性を有しているので、表示画面３０１より放射された光３２５、及び表示画面３０２から放射された光３２６ａは遮断されず、遊技者の目に届く。よって、遊技者は、図２（Ｂ１）で示す前面に配置された表示画面３０２、図２（Ｂ２）で示す背面に配置された表示画面３０１を同時に視認することができ、図２（Ｃ）に示すような表示を見ることができる。遊技者は、前面に表示される表示画面の画像を楽しみながら、背面の遊技盤の状態も確認できる。透光性の表示画面は、複数重なるように設けてもよく、遊技盤にも表示画面を設けることができるので、複雑で多様な表示を行うことができる。表示画面３０５、表示画面３０１のように、その表示画面を透過して、視認したい表示や状態がない場合は、表示画面３０５は、透光性を有していなくてもよい。よって、表示画面３０５は、片面放射型の表示装置を用いて、非透光性とし、透光性の表示と非透光性の表示を両方遊技者が視認できる遊技機とすることもできる。また詳細は後述するが、表示内容に応じて高階調表示領域の輝度を高めることによって、表示画面の一部の領域の発光強度を強くし、瞬間的に明るく発光させることができる。
【００２６】
また、本実施の形態では、遊技にパチンコ玉とよばれる反射性を有する球を用いる。パチンコ玉は金属製の球状の玉であり、その表面は光沢があり、光を反射する。本実施の形態における遊技機では、金属球を、両面から光３２６ａ、光３２６ｂを放射して画像を表示する表示画面３０２と、遊技盤３０３との間を通過させる。その時、金属球は、表示画面３０２より放射された光３２６ｂを表面で反射する。よって、遊技者は、表示画面３０２から遊技者側に放射される光３２６ａと、その反射光である金属球からの光３２７を同時に見るので、遊技機より放射される光は、明るく強度の強い光となる。表示画面３０２と表示画面３０５との間を金属球が通過する場合は、さらに表示画面３０５より放射される光も合わさるので、さらなる強い強度の発光となる。また、金属球は遊技盤に設けられた障害物に衝突しながら移動する。すると表示画面から金属球に放射する光の強度や波長が、金属球の存在する場所によって変化するので、金属球からの反射光の強度や波長も変化する。よって、遊技者に放射される光の強度や波長は瞬時ごとに変化し、遊技者に強い刺激と美感を与える。なお、本実施の形態で図１を用いて示す遊技機はパチンコ機の例であり、その遊技盤の構成などに本発明は限定されない。よって、図１の遊技盤３０３は遊技者より見て左側のレールを用いて金属球を通過させる構成だが、右側にレールを有して右側から金属球を通過させる構成としてもよい。また、遊技盤３０３上にさらに突起物などを形成し、金属球が遊技盤上を複雑な動きで通過するように設定してもよい。
【００２７】
本実施の形態では、パチンコ機の例を示すため、反射性を有する球として金属球を用いるが、ピンボールなどにおいて用いる球は必ずしも金属性でなくてもよい。球表面が反射性を有する皮膜などで少なくとも一部覆われていると、球の移動によって、上記のような遊技者に放射される光の強度や波長は瞬時ごとに変化し、遊技者に強い刺激と美感を与える効果が生じ得る。
【００２８】
本実施の形態では、入力手段として、表示画面上にセンサを設ける。センサは、光、熱、音などに反応するセンサなどを用いることができる。本実施の形態では、対象物の情報を読み取るイメージセンサ機能を有するセンサを用いる。遊技機の表示画面にセンサ部を設ける例を図１１を用いて説明する。
【００２９】
図１１は表示画面を構成する発光素子９６０を有する表示装置９３０と、その上部に形成されたセンサ部９３１である。図１１において、表示装置９３０は透光性基板９２０上にトランジスタ９１６、絶縁層９１２、発光素子９６０を構成する第１の透光性電極９１１、発光物質を含む層９１３及び第２の透光性電極９１４が設けられており透光性基板９２１で封止されている。第２の透光性電極９１４と透光性基板９２１との間の空間に、充填材を充填してもよい。表示装置９３０は、両面放射型であり発光素子９６０から光９４０、光９４１が放射される。また、図１１において、センサ部は、表示装置９３０上の透光性基板９１７上に形成され、Ｐ型層９５２、Ｉ型（真性）層９５３及びＮ型層９５４の積層体からなる光電変換素子９５６と、Ｐ型層９５２に接続された電極９５１、Ｎ型層９５４に接続された電極９５５とで構成されている。
【００３０】
本実施の形態では、光源として発光素子９６０、センサ素子として光電変換素子９５６を用いる。発光素子９６０及び光電変換素子９５６は同一の透光性基板９２０上に配置されており、発光素子９６０から発せられる光９４０は、遊技者などの対象物９５７において反射し、その反射した光９４０は光電変換素子９５６に入射する。そうすると、光電変換素子９５６の両電極間の電位差は変化し、その変化した電位差に応じて両電極間に電流が流れ、その流れた電流量を検知することで、対象物９５７の情報を得ることができる。そして、その得られた情報は、発光素子９６０を用いて表示したり、アラーム音などを発生させたりして伝達することができる。
【００３１】
発光素子９６０は、対象物の情報を読み取る際の光源としての役割と、画像を表示する役割の２つの役割を果たすことができる。また、イメージセンサ機能を用いる際には通常必要である光源や光散乱板を別個に設ける必要がないため、大幅な薄型化及び軽量化が実現する。
【００３２】
なお、図１１では、発光素子と光電変換素子とを同一基板上に形成する場合を図示したが、別基板に形成してもよい。またアクティブ型の表示装置の例を示したが、パッシブ型の表示装置であってもよい。また、一画素に発光素子９６０及び光電変換素子９５６を有する場合を図示したが、画素毎に光電変換素子９５６を設ける必要はなく、読み取る対象物やその用途に従って、複数の画素毎に光電変換素子９５６を設けてもよい。そうすると、発光素子９６０の開口率が拡大し、表示機能を用いる場合に明るい画像を提供することができる。
【００３３】
センサ３０４によって、遊技者の有無を検出することができ、遊技者が在席している時には、表示画面を表示し、遊技者が不在の時には、表示画面の表示を停止することができる。遊技者は、発光による画像表示されていない遊技機を選択すればよいので、空席を簡単に探すことができる。表示装置においても無駄な発光時間を短縮することができるので、発光素子の劣化を遅らせ表示装置の寿命を延ばすことができ、省エネルギーで効率がよい。また、遊技機に故意の誤操作を引き起こすための不正行為を行うために、遊技機に接触したり近づいたりする遊技者を、センサ３０４によって、検出し、警告等を行うことができる。警告は、強い強度の発光を表示画面で行ったり、表示画面の画像で警告の表示を行ったり、大きなアラーム音などによって行うことができる。また、遊技機にカメラ等の撮像手段を設け、センサ３０４と連動させることによって、不審者の撮影などを行うこともできる。
【００３４】
また、センサ３０４の他に、別の入力手段を設けてもよい。入力手段を有する表示画面３１１は、入力手段としてタッチパネルを有しており、その入力手段によって遊技者は遊技状態を変化させるともできる。例えば、表示画面３１１に表示された画像を押圧すると、入力手段により情報が入力される。その情報により遊技状態は変化し、遊技状態を検出する検出装置によってその情報は、表示画面３０２、表示画面３０１、表示画面３０５等に反映され、画像を変化させる。
【００３５】
本実施の形態における遊技機を図３のブロック図を用いて説明する。遊技機４５０は、表示画面４５２を構成する表示装置４５１、表示画面４５２内に設けられる入力手段４５３、検出手段４５４、制御手段４５６、記憶手段４５９、記憶手段読み取り装置４５７、記憶手段書き込み装置４５８を有している。制御手段４５６は、入力手段４５３より入力された情報により遊技状態を変化させ、検出手段４５４によりその変化が検出され、表示装置４５１の表示画面４５２の表示画像が変化する。また、本実施の形態で示す遊技機は、記憶手段を有しており、遊技者は自分の遊技状態を記憶手段に記憶させ、再度続きから遊技を実行することができる。記憶手段は、図３の遊技機のように、遊技機４５０内に設けてもよいし、図１で示す遊技機のように記憶カード等の記憶手段を遊技者が使用時に遊技機に装着してもよい。記憶手段を別途設ける方法であると、容量が大きくても対応でき、また個人で情報の管理ができるため、多くの遊技者が利用する場合には適している。図１で示す記憶カード差し込み口３０７に挿入された記憶手段４５９である記憶カードは、記憶手段読み取り装置４５７により情報が読み取られ、制御手段４５６によって、表示装置４５１、表示画面４５２に伝達され情報が表示される。遊技者が情報を記憶として書き込みたい場合は、記憶手段書き込み装置４５８によって情報が記憶手段に伝達され記憶される。このように記憶手段を有することにより、遊技者は遊技時間を制限されることなく、十分に時間をかけて、好きな時に遊技を楽しむことができる。
【００３６】
本発明の遊技機は、刺激的な多彩な画像と、表示画面に映し出される入力手段を用いた多様な操作方法によって、自分独自の遊技を楽しむことができ、多いに遊技意欲を高めることができる。
【００３７】
（実施の形態２）
本実施の形態では、背面視認性を有する実施の形態１で示した表示画面３０２を有する表示装置の例を、図９、図１３を用いて詳細に説明する。
【００３８】
図９（Ａ）は両面放射型の発光表示装置の上面図であり、基板６００上に信号線駆動回路を有する周辺駆動回路領域６２４、周辺駆動回路領域６２９、走査線駆動回路を有する周辺駆動回路領域６２７、周辺駆動回路領域６２８、画素領域６２６、接続領域６２５が設けられており、対向基板６０１とシール材６１１によって貼り合わされ封止されている。外部端子接続領域において、端子電極層６１２が異方性導電層６１３によってＦＰＣ６１４と接続し、外部と電気的に接続する構造とする。
【００３９】
図９（Ｂ）は図９（Ａ）における線Ａ−Ｂの断面図であり、周辺駆動回路領域にはｐチャネル型薄膜トランジスタであるトランジスタ６０２ａ、ｎチャネル型薄膜トランジスタであるトランジスタ６０２ｂが設けられ、画素領域には、マルチゲート構造のｎチャネル型薄膜トランジスタであるトランジスタ６０３ａ、ｐチャネル型薄膜トランジスタであるトランジスタ６０３ｂが設けられている。トランジスタ６０３ｂは、透光性電極層６０７、発光物質を含む層６０８、透光性電極層６０９によって構成される発光素子６０５と電気的に接続している。また、絶縁層６０６は各画素領域を隔てる隔壁として機能する。透光性電極層６０９と対向基板６０１の間の空間には充填材６１０が充填されている。
【００４０】
図９における表示装置は、背面視認性を有するために、表示に寄与する画素領域で用いられる材料は透光性を有する必要がある。よって、発光素子より放射される光が遮断、吸収されないように、発光素子を構成する電極、発光材料、光の通過領域に形成される絶縁層、基板などにも透光性を有する材料を用いる。しかし、表示を行わない領域においては、透光性を有する材料を用いる必要はなく、画素領域であってもカラーフィルタや色変換層などを用いて、表示の多様化を行うために選択的に光を透過させてもよい。
【００４１】
透光性電極層６０７、透光性電極層６０９は、具体的には透明導電膜を用いればよく、インジウム錫酸化物（ＩＴＯ）、インジウム亜鉛酸化物（ＩＺＯ）、酸化ケイ素を添加したインジウム錫酸化物（ＩＴＳＯ）などを用いることができる。また、金属薄膜であっても膜厚を薄く（好ましくは、５ｎｍ〜３０ｎｍ程度の厚さ）して光を透過可能な状態としておくことで、光を透過することが可能となる。透光性電極層６０７、透光性電極層６０９に用いることのできる金属薄膜としては、チタン、タングステン、ニッケル、金、白金、銀、アルミニウム、マグネシウム、カルシウム、リチウム、およびそれらの合金からなる金属薄膜などを用いることができる。
【００４２】
発光物質を含む層６０８は、各機能を有する層、具体的には正孔注入層、正孔輸送層、発光層、電子輸送層、電子注入層などを有する。また各層の境界は必ずしも明確となっておらず、その一部が混在している場合もある。発光物質を含む層の材料は、有機材料（低分子又は高分子を含む）、無機材料、又は有機材料と無機材料の複合材料を用いることができる。以下発光物質を含む層を形成する材料について詳細に述べる。
【００４３】
電荷注入輸送物質のうち、特に電子輸送性の高い物質としては、例えばトリス（８−キノリノラト）アルミニウム（略称：Ａｌｑ３）、トリス（５−メチル−８−キノリノラト）アルミニウム（略称：Ａｌｍｑ３）、ビス（１０−ヒドロキシベンゾ［ｈ］−キノリナト）ベリリウム（略称：ＢｅＢｑ２）、ビス（２−メチル−８−キノリノラト）−４−フェニルフェノラト−アルミニウム（略称：ＢＡｌｑ）など、キノリン骨格またはベンゾキノリン骨格を有する金属錯体等が挙げられる。また正孔輸送性の高い物質としては、例えば４，４’−ビス［Ｎ−（１−ナフチル）−Ｎ−フェニル−アミノ］−ビフェニル（略称：α−ＮＰＤ）や４，４’−ビス［Ｎ−（３−メチルフェニル）−Ｎ−フェニル−アミノ］−ビフェニル（略称：ＴＰＤ）や４，４’，４’’−トリス（Ｎ，Ｎ−ジフェニル−アミノ）−トリフェニルアミン（略称：ＴＤＡＴＡ）、４，４’，４’’−トリス［Ｎ−（３−メチルフェニル）−Ｎ−フェニル−アミノ］−トリフェニルアミン（略称：ＭＴＤＡＴＡ）などの芳香族アミン系（即ち、ベンゼン環−窒素の結合を有する）の化合物が挙げられる。
【００４４】
また、電荷注入輸送物質のうち、特に電子注入性の高い物質としては、フッ化リチウム（ＬｉＦ）、フッ化セシウム（ＣｓＦ）、フッ化カルシウム（ＣａＦ２）等のようなアルカリ金属又はアルカリ土類金属の化合物が挙げられる。また、この他、Ａｌｑ３のような電子輸送性の高い物質とマグネシウム（Ｍｇ）のようなアルカリ土類金属との混合物であってもよい。
【００４５】
電荷注入輸送物質のうち、正孔注入性の高い物質としては、例えば、モリブデン酸化物（ＭｏＯｘ）やバナジウム酸化物（ＶＯｘ）、ルテニウム酸化物（ＲｕＯｘ）、タングステン酸化物（ＷＯｘ）、マンガン酸化物（ＭｎＯｘ）等の金属酸化物が挙げられる。また、この他、フタロシアニン（略称：Ｈ２Ｐｃ）や銅フタロシアニン（ＣｕＰｃ）等のフタロシアニン系の化合物が挙げられる。
【００４６】
発光層は、発光波長帯の異なる発光層を画素毎に形成して、カラー表示を行う構成としても良い。典型的には、Ｒ（赤）、Ｇ（緑）、Ｂ（青）の各色に対応した発光層を形成する。この場合にも、画素の光放射側にその発光波長帯の光を透過するフィルターを設けた構成とすることで、色純度の向上や、画素部の鏡面化（映り込み）の防止を図ることができる。フィルターを設けることで、従来必要であるとされていた円偏光版などを省略することが可能となり、発光層から放射される光の損失を無くすことができる。さらに、斜方から画素部（表示画面）を見た場合に起こる色調の変化を低減することができる。
【００４７】
発光物質を含む層に用いることのできる発光材料には様々な材料がある。低分子有機発光材料では、４−ジシアノメチレン−２−メチル−６−［２−（１，１，７，７−テトラメチル−９−ジュロリジン）エテニル］−４Ｈ−ピラン（略称：ＤＣＪＴ）、４−ジシアノメチレン−２−ｔ−ブチル−６−［２−（１，１，７，７−テトラメチルジュロリジン−９−イル）エテニル］−４Ｈ−ピラン（略称：ＤＣＪＴＢ）、ペリフランテン、２，５−ジシアノ−１，４−ビス［２−（１０−メトキシ−１，１，７，７−テトラメチルジュロリジン−９−イル）エテニル］ベンゼン、Ｎ，Ｎ’−ジメチルキナクリドン（略称：ＤＭＱｄ）、クマリン６、クマリン５４５Ｔ、トリス（８−キノリノラト）アルミニウム（略称：Ａｌｑ３）、９，９’−ビアントリル、９，１０−ジフェニルアントラセン（略称：ＤＰＡ）や９，１０−ビス（２−ナフチル）アントラセン（略称：ＤＮＡ）等を用いることができる。また、この他の物質でもよい。
【００４８】
一方、高分子有機発光材料は低分子に比べて物理的強度が高く、素子の耐久性が高い。また塗布により成膜することが可能であるので、素子の作製が比較的容易である。高分子有機発光材料を用いた発光素子の構造は、低分子有機発光材料を用いたときと基本的には同じであり、陰極側から、陰極、発光層、陽極の順の積層となる。しかし、高分子有機発光材料を用いた発光層を形成する際には、低分子有機発光材料を用いたときのような積層構造を形成させることは難しく、多くの場合２層構造となる。具体的には、陰極側から、陰極、発光層、正孔輸送層、陽極の順の積層構造である。
【００４９】
発光色は、発光層を形成する材料で決まるため、これらを選択することで所望の発光を示す発光素子を形成することができる。発光層の形成に用いることができる高分子系の電界発光材料は、ポリパラフェニレンビニレン系、ポリパラフェニレン系、ポリチオフェン系、ポリフルオレン系が挙げられる。
【００５０】
ポリパラフェニレンビニレン系には、ポリ（パラフェニレンビニレン）  ［ＰＰＶ］  の誘導体、ポリ（２，５−ジアルコキシ−１，４−フェニレンビニレン）  ［ＲＯ−ＰＰＶ］、ポリ（２−（２’−エチル−ヘキソキシ）−５−メトキシ−１，４−フェニレンビニレン）［ＭＥＨ−ＰＰＶ］、ポリ（２−（ジアルコキシフェニル）−１，４−フェニレンビニレン）［ＲＯＰｈ−ＰＰＶ］等が挙げられる。ポリパラフェニレン系には、ポリパラフェニレン［ＰＰＰ］の誘導体、ポリ（２，５−ジアルコキシ−１，４−フェニレン）［ＲＯ−ＰＰＰ］、ポリ（２，５−ジヘキソキシ−１，４−フェニレン）等が挙げられる。ポリチオフェン系には、ポリチオフェン［ＰＴ］の誘導体、ポリ（３−アルキルチオフェン）［ＰＡＴ］、ポリ（３−ヘキシルチオフェン）［ＰＨＴ］、ポリ（３−シクロヘキシルチオフェン）［ＰＣＨＴ］、ポリ（３−シクロヘキシル−４−メチルチオフェン）［ＰＣＨＭＴ］、ポリ（３，４−ジシクロヘキシルチオフェン）［ＰＤＣＨＴ］、ポリ［３−（４−オクチルフェニル）−チオフェン］［ＰＯＰＴ］、ポリ［３−（４−オクチルフェニル）−２，２ビチオフェン］［ＰＴＯＰＴ］等が挙げられる。ポリフルオレン系には、ポリフルオレン［ＰＦ］の誘導体、ポリ（９，９−ジアルキルフルオレン）［ＰＤＡＦ］、ポリ（９，９−ジオクチルフルオレン）［ＰＤＯＦ］等が挙げられる。
【００５１】
なお、正孔輸送性の高分子有機発光材料を、陽極と発光性の高分子有機発光材料の間に挟んで形成すると、陽極からの正孔注入性を向上させることができる。一般にアクセプター材料と共に水に溶解させたものをスピンコート法などで塗布する。また、有機溶媒には不溶であるため、上述した有機発光材料との積層が可能である。正孔輸送性の高分子有機発光材料としては、ＰＥＤＯＴとアクセプター材料としてのショウノウスルホン酸（ＣＳＡ）の混合物、ポリアニリン［ＰＡＮＩ］とアクセプター材料としてのポリスチレンスルホン酸［ＰＳＳ］の混合物等が挙げられる。
【００５２】
また、発光層は単色又は白色の発光を呈する構成とすることができる。白色発光材料を用いる場合には、画素の光放射側に特定の波長の光を透過するフィルター（着色層）を設けた構成としてカラー表示を可能にすることができる。
【００５３】
白色に発光する発光層を形成するには、例えば、Ａｌｑ３、部分的に赤色発光色素であるナイルレッドをドープしたＡｌｑ３、Ａｌｑ３、ｐ−ＥｔＴＡＺ、ＴＰＤ（芳香族ジアミン）を蒸着法により順次積層することで白色を得ることができる。また、スピンコートを用いた塗布法によりＥＬを形成する場合には、塗布した後、真空加熱で焼成することが好ましい。例えば、正孔注入層として作用するポリ（エチレンジオキシチオフェン）／ポリ（スチレンスルホン酸）水溶液（ＰＥＤＯＴ／ＰＳＳ）を全面に塗布、焼成し、その後、発光層として作用する発光中心色素（１，１，４，４−テトラフェニル−１，３−ブタジエン（ＴＰＢ）、４−ジシアノメチレン−２−メチル−６−（ｐ−ジメチルアミノ−スチリル）−４Ｈ−ピラン（ＤＣＭ１）、ナイルレッド、クマリン６など）ドープしたポリビニルカルバゾール（ＰＶＫ）溶液を全面に塗布、焼成すればよい。
【００５４】
発光層は単層で形成することもでき、ホール輸送性のポリビニルカルバゾール（ＰＶＫ）に電子輸送性の１，３，４−オキサジアゾール誘導体（ＰＢＤ）を分散させてもよい。また、３０ｗｔ％のＰＢＤを電子輸送剤として分散し、４種類の色素（ＴＰＢ、クマリン６、ＤＣＭ１、ナイルレッド）を適当量分散することで白色発光が得られる。ここで示した白色発光が得られる発光素子の他にも、発光層の材料を適宜選択することによって、赤色発光、緑色発光、または青色発光が得られる発光素子を作製することができる。
【００５５】
さらに、発光層は、一重項励起発光材料の他、金属錯体などを含む三重項励起発光材料を用いても良い。例えば、赤色の発光性の画素、緑色の発光性の画素及び青色の発光性の画素のうち、輝度半減時間が比較的短い赤色の発光性の画素を三重項励起発光材料で形成し、他を一重項励起発光材料で形成する。三重項励起発光材料は発光効率が良いので、同じ輝度を得るのに消費電力が少なくて済むという特徴がある。すなわち、赤色画素に適用した場合、発光素子に流す電流量が少なくて済むので、信頼性を向上させることができる。低消費電力化として、赤色の発光性の画素と緑色の発光性の画素とを三重項励起発光材料で形成し、青色の発光性の画素を一重項励起発光材料で形成しても良い。人間の視感度が高い緑色の発光素子も三重項励起発光材料で形成することで、より低消費電力化を図ることができる。
【００５６】
三重項励起発光材料の一例としては、金属錯体をドーパントとして用いたものがあり、第三遷移系列元素である白金を中心金属とする金属錯体、イリジウムを中心金属とする金属錯体などが知られている。三重項励起発光材料としては、これらの化合物に限られることはなく、上記構造を有し、且つ中心金属に周期表の８〜１０属に属する元素を有する化合物を用いることも可能である。
【００５７】
以上に掲げる発光物質を含む層を形成する物質は一例であり、正孔注入輸送層、正孔輸送層、電子注入輸送層、電子輸送層、発光層、電子ブロック層、正孔ブロック層などの機能性の各層を適宜積層することで発光物質を含む層を形成することができる。また、これらの各層を合わせた混合層又は混合接合を形成しても良い。発光物質を含む層の層構造は変化しうるものであり、特定の電子注入領域や発光領域を備えていない代わりに、この目的用の電極層を備えたり、発光性の材料を分散させて備えたりする変形は、本発明の趣旨を逸脱しない範囲において許容されうるものである。
【００５８】
本実施の形態における表示装置に用いることができる絶縁性材料は、酸化珪素、窒化珪素、酸化窒化珪素、窒化酸化珪素、窒化アルミニウム（ＡｌＮ）、酸化窒化アルミニウム（ＡｌＯＮ）、窒素含有量が酸素含有量よりも多い窒化酸化アルミニウム（ＡｌＮＯ）または酸化アルミニウム、ダイアモンドライクカーボン（ＤＬＣ）、窒素含有炭素膜（ＣＮ）、ＰＳＧ（リンガラス）、ＢＰＳＧ（リンボロンガラス）、アルミナ膜、ポリシラザン、その他の無機絶縁性材料を含む物質などがある。また、シロキサン樹脂を用いてもよい。なお、シロキサン樹脂とは、Ｓｉ−Ｏ−Ｓｉ結合を含む樹脂に相当する。シロキサンは、シリコン（Ｓｉ）と酸素（Ｏ）との結合で骨格構造が構成される。置換基として、少なくとも水素を含む有機基（例えばアルキル基、芳香族炭化水素）が用いられる。置換基として、フルオロ基を用いてもよい。または置換基として、少なくとも水素を含む有機基と、フルオロ基とを用いてもよい。また、有機絶縁性材料を用いてもよく、有機材料としては、感光性、非感光性どちらでも良く、ポリイミド、アクリル、ポリアミド、ポリイミドアミド、又はベンゾシクロブテン、低誘電率であるＬｏｗ  ｋ材料を用いることができる。
【００５９】
透光性電極層６０９を覆うようにして透光性を有するパッシベーション膜を設けることは有効である。パッシベーション膜としては、窒化珪素、酸化珪素、酸化窒化珪素（ＳｉＯＮ）、窒化酸化珪素（ＳｉＮＯ）、窒化アルミニウム（ＡｌＮ）、酸化窒化アルミニウム（ＡｌＯＮ）、窒素含有量が酸素含有量よりも多い窒化酸化アルミニウム（ＡｌＮＯ）または酸化アルミニウム、ダイアモンドライクカーボン（ＤＬＣ）、窒素含有炭素膜（ＣＮ）を含む絶縁膜からなり、該絶縁膜を単層もしくは組み合わせた積層を用いることができる。また、前述のシロキサン樹脂を用いてもよい。
【００６０】
この際、カバレッジの良い膜をパッシベーション膜として用いることが好ましく、炭素膜、特にＤＬＣ膜を用いることは有効である。ＤＬＣ膜は室温から１００℃以下の温度範囲で成膜可能であるため、発光物質を含む層の耐熱性が低くでも上方に容易に成膜することができる。ＤＬＣ膜は、プラズマＣＶＤ法（代表的には、ＲＦプラズマＣＶＤ法、マイクロ波ＣＶＤ法、電子サイクロトロン共鳴（ＥＣＲ）ＣＶＤ法、熱フィラメントＣＶＤ法など）、燃焼炎法、スパッタ法、イオンビーム蒸着法、レーザ蒸着法などで形成することができる。成膜に用いる反応ガスは、水素ガスと、炭化水素系のガス（例えばＣＨ４、Ｃ２Ｈ２、Ｃ６Ｈ６など）とを用い、グロー放電によりイオン化し、負の自己バイアスがかかったカソードにイオンを加速衝突させて成膜する。また、ＣＮ膜は反応ガスとしてＣ２Ｈ４ガスとＮ２ガスとを用いて形成すればよい。ＤＬＣ膜は酸素に対するブロッキング効果が高く、発光物質を含む層の酸化を抑制することが可能である。そのため、この後に続く封止工程を行う間に発光物質を含む層が酸化するといった問題を防止できる。
【００６１】
シール材６１１としては、代表的には可視光硬化性、紫外線硬化性または熱硬化性の樹脂を用いるのが好ましい。例えば、ビスフェノールＡ型液状樹脂、ビスフェノールＡ型固形樹脂、含ブロムエポキシ樹脂、ビスフェノールＦ型樹脂、ビスフェノールＡＤ型樹脂、フェノール型樹脂、クレゾール型樹脂、ノボラック型樹脂、環状脂肪族エポキシ樹脂、エピビス型エポキシ樹脂、グリシジルエステル樹脂、グリシジルアミン系樹脂、複素環式エポキシ樹脂、変性エポキシ樹脂等のエポキシ樹脂を用いることができる。なお、シール材で囲まれた領域には充填材６１０の代わりに、窒素雰囲気下で封止することによって、窒素等を封入してもよい。充填材６１０は、透光性を有する必要がある。代表的には可視光硬化、紫外線硬化または熱硬化のエポキシ樹脂を用いればよい。また充填材は、液状の状態で滴下し、表示装置内に充填することもできる。
【００６２】
本実施の形態で用いることのできる基板としては、透光性を有する基板であればよく、ガラス基板、石英基板、シリコン基板等を用いることができる。また、折り曲げることができる（フレキシブル）基板である可撓性基板を用いることもできる。可撓性基板は、例えば、ポリカーボネート、ポリアリレート、ポリエーテルスルフォン等からなるプラスチック基板等が挙げられる。また、フィルム（ポリプロピレン、ポリエステル、ビニル、ポリフッ化ビニル、塩化ビニルなどからなる）、繊維質な材料からなる紙（透光性を有するもの）、フィルム（ポリエステル、ポリアミド、無機蒸着フィルム、紙類等）などを用いることもできる。
【００６３】
本実施の形態における表示装置に用いることができる導電性材料は、Ａｇ、Ａｕ、Ｃｕ、Ｎｉ、Ｐｔ、Ｐｄ、Ｉｒ、Ｒｈ、Ｗ、Ａｌ、Ｔａ、Ｍｏ、Ｃｄ、Ｚｎ、Ｆｅ、Ｔｉ、Ｓｉ、Ｇｅ、Ｚｒ、Ｂａ等から選ばれた元素、又は前記元素を主成分とする合金材料もしくは化合物材料で形成すればよい。また、前記元素の混合物を用いてもよい。
【００６４】
上記材料を用いた絶縁層、導電層の形成方法は、蒸着法、ＰＶＤ法、ＣＶＤ法、プラズマＣＶＤ法、スパッタリング法、印刷法、スプレー法、スピン塗布法、液滴吐出法などを用いて形成することができる。所望の形状への加工が必要な際は、マスクを用いてドライエッチング法、又はウェットエッチング法を用いて加工すればよい。導電層は電界めっき法、無電界めっき法、リフロー法、ダマシン法などを用いて形成してもよい。
【００６５】
トランジスタは、必要とされる機能を有すものであれば、どのような構成で設けてもよい。半導体層も非晶質半導体（アモルファス半導体）、結晶性半導体、多結晶半導体、微結晶半導体（セミアモルファス半導体）など様々な半導体を用いることができ、ペンタセンなどの有機化合物を用いて有機トランジスタを形成してもよい。
【００６６】
非晶質半導体としては、代表的には水素化アモルファスシリコン、結晶性半導体としては代表的にはポリシリコンなどがあげられる。ポリシリコン（多結晶シリコン）には、８００℃以上のプロセス温度を経て形成されるポリシリコンを主材料として用いた所謂高温ポリシリコンや、６００℃以下のプロセス温度で形成されるポリシリコンを主材料として用いた所謂低温ポリシリコン、また結晶化を促進する元素などを添加し結晶化させたポリシリコンなどを含んでいる。もちろん、半導体の一部に結晶相を含む半導体を用いることもできる。
【００６７】
本実施の形態では、絶縁性を有する基板上にトップゲート構造のプレーナ型の薄膜トランジスタを設けた例を示しているが、順スタガ型やボトムゲート構造の逆スタガ型等の構造でトランジスタを形成することも可能である。本実施の形態に限定されず、薄膜トランジスタはチャネル形成領域が一つ形成されるシングルゲート構造でも、二つ形成されるダブルゲート構造もしくは三つ形成されるトリプルゲート構造であっても良い。また、周辺駆動回路領域の薄膜トランジスタも、シングルゲート構造、ダブルゲート構造もしくはトリプルゲート構造であっても良い。あるいはチャネル領域の上下にゲート絶縁膜を介して配置された２つのゲート電極層を有する、デュアルゲート型やその他の構造においても適用できる。
【００６８】
本実施の形態における図９のトランジスタは、結晶性半導体を用い、半導体層上には、ゲート絶縁層を介してゲート電極層が設けられる。ゲート電極層は、単層構造、又は積層構造を有することができる。半導体層中には不純物元素を添加することによって不純物領域が形成される。不純物領域は、その濃度を制御することにより高濃度不純物領域及び低濃度不純物領域とすることができる。このように低濃度不純物領域を有する薄膜トランジスタ（以下、ＴＦＴともいう）を、ＬＤＤ（Ｌｉｇｈｔｌｙ  ｄｏｐｅｄ  ｄｒａｉｎ）構造と呼ぶ。また低濃度不純物領域は、ゲート電極と重なるように形成することができ、このようなＴＦＴを、ＧＯＬＤ（Ｇａｔｅ  Ｏｖｅｒｌａｐｐｅｄ  ＬＤＤ）構造と呼ぶ。本実施の形態では、トランジスタ６０２ａ、トランジスタ６０２ｂ、トランジスタ６０３ｂをＧＯＬＤ構造で形成している。またＴＦＴの極性は、不純物領域にリン（Ｐ）等を用いることによりｎ型となり、ｐ型とする場合は、ボロン（Ｂ）等を添加すればよい。
【００６９】
図１３に、半導体層に非晶質半導体を用いたトランジスタにより構成された表示装置の例の断面図を示す。図１３の表示装置は、図９（Ｂ）の表示装置において、トランジスタ６０３ａ、トランジスタ６０３ｂを、それぞれトランジスタ６８３ａ、トランジスタ６８３ｂに変更した例であり、その他の構成は同様である。トランジスタ６８３ａ及びトランジスタ６８３ｂは、逆スタガ構造の薄膜トランジスタであり、半導体層として非晶質半導体である非晶質珪素膜を用いている。また、トランジスタ６８３ａ及びトランジスタ６８３ｂは、ソース領域、ドレイン領域の機能を有する一導電型を有する半導体層が設けられている。トランジスタ６８３ａ、トランジスタ６８３ｂは、一導電型を有する半導体層として、ｎ型を付与する不純物元素であるリンを有する半導体層を有しており、ｎチャネル型の薄膜トランジスタである。しかし、一導電型を有する半導体層としてｐ型を付与する不純物元素であるボロン等を有する半導体層を形成すれば、ｐチャネル型の薄膜トランジスタとすることができる。また、図１３の表示装置のように、層間絶縁層を有さない構成となっていてもよい。
【００７０】
本実施の形態では、上記のような回路で形成するが、本発明はこれに限定されず、周辺駆動回路としてＩＣチップを前述したＣＯＧ方式やＴＡＢ方式によって実装したものでもよい。また、ゲート線駆動回路、ソース線駆動回路は複数であっても単数であっても良い。
【００７１】
また、本発明の表示装置において、画面表示の駆動方法は特に限定されず、例えば、点順次駆動方法や線順次駆動方法や面順次駆動方法などを用いればよい。代表的には、線順次駆動方法とし、時分割階調駆動方法や面積階調駆動方法を適宜用いればよい。また、表示装置のソース線に入力する映像信号は、アナログ信号であってもよいし、デジタル信号であってもよく、適宜、映像信号に合わせて駆動回路などを設計すればよい。
【００７２】
さらに、ビデオ信号がデジタルの表示装置において、画素に入力されるビデオ信号が定電圧（ＣＶ）のものと、定電流（ＣＣ）のものとがある。ビデオ信号が定電圧のもの（ＣＶ）には、発光素子に印加される電圧が一定のもの（ＣＶＣＶ）と、発光素子に印加される電流が一定のもの（ＣＶＣＣ）とがある。また、ビデオ信号が定電流のもの（ＣＣ）には、発光素子に印加される電圧が一定のもの（ＣＣＣＶ）と、発光素子に印加される電流が一定のもの（ＣＣＣＣ）とがある。
【００７３】
本実施の形態で示したような図９の背面視認性の表示装置を用いた遊技機であると、遊技者は前面に表示される表示画面の画像を楽しみながら、背面の遊技盤の状態も確認できる。透光性の表示画面は、複数重なるように設けてもよく、遊技盤にも表示画面を設けることができるので、複雑で多様な表示を行うことができる。よって、本発明の遊技機は、刺激的な多彩な画像と、表示画面に映し出される入力手段を用いた多様な操作方法によって、自分独自の遊技を楽しむことができ、多いに遊技意欲を高めることができる。
【００７４】
（実施の形態３）
本実施の形態における遊技機を、図４を用いて説明する。なお、本実施の形態においては、遊技機としてスロットルマシンを例にとって示す。
【００７５】
本実施の形態で示す遊技機は、筐体４００、表示部４０１、画像４０３ａ及び画像４０３ｂを有する表示画面４０２、入力手段であるタッチパネル４０７、操作ハンドル４０４、表示画面４０５、カメラ４０６を含む（図４（Ａ）参照。）。
【００７６】
本発明では、表示画面上に設けられ情報が遊技機に入力できる方法であれば、どのような入力手段を用いてもよい。入力手段として、タッチパネルを用いることができる。タッチパネルには、光方式、超音波方式、静電容量方式、電磁誘導方式、画像認識方式、抵抗膜方式など数種の方式がある。光方式は、パネル表面において、縦横に発光ダイオード（ＬＥＤ）などを用いて、光（赤外線）を投受させ、その投受光が遮断された位置を検出する。超音波方式は、超音波振動素子によりパネル表面に、表面弾性波を伝え、パネル振動による強度変化を計算し、振動の中心となる位置を検出する。静電容量方式は、指などが接触することによるパネル表面の電気容量の変化を検出する。電位誘導方式は、磁界を発生できる特殊な操作器具（ペンなど）をパネルに接触させることで、パネル側でその電磁エネルギーを受け取り、ペンの位置を検出する。画像認識方式は、パネル近くに配置されたカメラ等で、接触する画像を撮影し、画像解析から接触位置と、接触したことを判断、検出する。抵抗膜方式は、電極間に抵抗膜を挟んだ構造で、指などで押圧すると、縦横に直交する電極が接触して通電し、その電子的信号を受け取り、位置を検出する。
【００７７】
本発明は上記どの方式の入力手段を用いてもよいが、本実施の形態では、抵抗膜方式のタッチパネルを入力手段として用いる。本実施の形態で用いる入力手段の断面図を図１０に示す。入力手段であるタッチパネル４０７は、透光性基板３４０上に電極層３４２、ドットスペーサ３４５が設けられ、対向する透光性基板３４１にも電極層３４３が設けられている。透光性基板３４０と透光性基板３４１とは、電極層が向かい合うように貼り合わせ材であるシール材３４６によって貼り合わされている（図１０（Ａ）参照。）。配線層３４７は外部回路に接続する。透光性基板３４０はフィルムなどの可撓性の基板であり、遊技者の指３４８の押圧により図１０（Ｂ）のように変形する。透光性基板３４０の変形により電極層３４３も変形し、電極層３４２と接触し、通電する。その電子的信号を受け取ることによって、領域３５０が検出される。
【００７８】
本実施の形態においても、実施の形態１の表示画面３０１のように、表示画面４０２、表示画面４０５は、透光性を有している。タッチパネル４０７も透光性を有しているので、表示画面４０２より放射された光、及び表示部４０１から放射された光は遮断されず、遊技者の目に届く。よって、遊技者は、前面に配置された表示画面４０２、背面に配置された表示部４０１を同時に視認することができる。遊技者は、前面に表示される表示画面の画像を楽しみながら、背面の遊技の状態も確認できる。透光性の表示画面は、複数重なるように設けてもよく、複雑で多様な表示を行うことができる。
【００７９】
本実施の形態における遊技機は、表示画面４０５の背面にカメラ４０６を具備している。カメラ４０６は、表示画面４０５の表示画像と、遊技者を同じ写真内に撮影することができる。遊技者は、入力手段によってカメラ４０６を操作し、遊技状態が「大当たり」など記念に残したい状況になった場合に、いつでも写真を撮影することができる。また、カメラ４０６によって撮影した画像を、表示画面４０２などに表示するようにしてもよい。
【００８０】
また、表示画面には入力手段を設け、その入力手段によって遊技者は遊技状態を変化させることができる。例えば、表示画面４０２に表示された画像４０３ａを押圧すると、入力手段により情報が入力される。その情報により遊技状態は変化し、遊技状態を検出する検出装置によってその情報は、表示画面４０２、表示画面４０５等に反映され、画像を変化させる。また、本実施の形態の遊技機はスロットルマシンなので、遊技者は、３個所の変化する表示部４０１の画像を遊技者が任意に停止させ、停止した時に表示されている画像を、３個所において一定の決まりに合うように揃えることを目的とする。よって、通常は固定されている操作点（操作ボタンなど）の入力手段を、表示画面上に可動して設けることにより、より遊技機の難易度に幅ができ、遊技者に合わせた設定を行うことができる。また、表示画面上に複数操作点を設置する事も可能であり、停止、と動作などしか選択できなかった操作項目に、表示の動作速度や、表示の明るさの設定などを加えることができ、遊技者は、遊技の進行中に自由に操作できるため、より強い刺激を受け、臨場感が増す。また詳細は後述するが、表示内容に応じて高階調表示領域の輝度を瞬間的に高めることによって、表示画面の一部の領域の発光強度をより強く明るく発光させることができる。
【００８１】
タッチパネルの他に、実施の形態１で示したセンサのような別の入力手段を設けてもよい。センサを用いた入力手段により、遊技機周囲、遊技者の状態を検出し、遊技機の使用効率を高めたり、不正行為などに対する防犯を行ったりすることができる。
【００８２】
また、本実施の形態の遊技機において、回転開始手段と、回転停止手段を設け、表示部４０１は、図４（Ｂ）のように回転する構造となっている。図４（Ｂ）に、表示部４０１の詳細図を示す。表示部４０１は、表示画面を有する表示装置４１２と、表示装置４１２を支持し、回転手段により回転させる支持体４１１で構成されており、矢印４１３で示すように回転する。本実施の形態では表示装置４１２の有する表示画面も透光性であり、より多彩な表示を行う。この表示装置４１２を回転させ、回転する表示画面にその回転角に同期して画像を切り替えて表示することにより、表示部４０１に３次元画像を表示することができる。よって、遊技者は、表示画面４０２に表示される２次元画像と、その背面には表示部４０１による３次元画像とを同時に視認でき、一層迫力のあるリアルな画像により遊技を楽しむことができる。表示部４０１の表示装置４１２は、遊技者の操作により任意のタイミングで停止され、遊技者に２次元の画像を表示するので、遊技者は決定した画像の確認をその都度行うことができる。
【００８３】
表示装置４１２に裏表両方から光を放射し、表示を行う両面放射型の表示パネルを用いると、一つの表示装置（表示パネル）でよいので軽量化であるため、回転させる電力を低減することができる、風力によって回転させることもできるなどの利点がある。また両面放射型の表示装置では裏表２つの画面を１つの表示装置（表示パネル）で駆動させるため、低消費電力とすることもできる。
【００８４】
また、表示装置４１２は表示画面の裏表両方に表示を行う両面放射型であればよいので、その表示画面は非透光性でもよく、２つの片面放射型の表示装置を光の非放射面同士を貼り合わせて、両面放射型の表示装置としたものも用いることができる。２つの片面放射型の表示装置を貼り合わせる場合は、精度良く貼り合わせる必要がある。
【００８５】
よって、本発明の遊技機は、刺激的な多彩な画像と、表示画面に映し出される入力手段を用いた多様な操作方法によって、自分独自の遊技を楽しむことができ、多いに遊技意欲を高めることができる。
【００８６】
（実施の形態４）
本実施の形態における遊技機を、図５を用いて説明する。なお、本実施の形態においては、遊技機としてパチンコ機を例にとって示す。
【００８７】
遊技者にとって、遊技機に多様性があることは刺激的であり、そのような遊技機は、遊技者を飽きさせない。しかし、遊技機の遊技盤や本体ごと頻繁に新しくするのはコスト的に無理がある。本実施の形態では、遊技機の外装を、服を着せ替えるように変化させ、遊技者の遊技意欲を高めるものである。
【００８８】
図５（Ａ）は、遊技機本体であり、遊技盤、操作ハンドルなどを含む遊技機５００はその中に備え付けの表示画面５０１、表示画面５０２を有している。遊技機５００は実施の形態１で示した遊技機と同様な構成となっている。
【００８９】
図５（Ｂ）及び図５（Ｃ）に遊技機５００に装着することができる、装飾部を示す。装飾部も発光する表示画面によって構成される。また、表示画面は、透光性でも非透光性でもよく、可変表示でも不変表示でもよい。本実施の形態では、図５（Ｂ）の装飾部において、表示画面５１０は、不変表示であり、花柄が発光によって表示され、点滅したり、光の強度が変化したり様々な形態で発光することができる。表示画面５１２は可撓性フィルム上に形成された表示画面であり、発光するフィルムが遊技場内に設置された送風機などによる風により、発光しながらはためいて遊技者に美感を与える。送風機は、発光による表示装置に生じる熱を冷却する効果もある。表示画面５１１は、可変表示の表示画面であり、遊技者にさらなる情報や視覚的刺激を与えることができる。このような装飾部を遊技機５００に装着することにより、より遊技者にとって、遊技意欲が高められる魅力的な遊技機５１５とすることができる（図５（Ｄ）参照。）。
【００９０】
図５（Ｃ）においても、装飾部は発光する表示画面によって構成されている。表示画面５２０は、王冠や星などがデザインされた表示画面であり、点滅したり、光の強度が変化したり様々な形態で発光することができる。また、表示画面５２１は、表示画面５１２と同様に可撓性フィルム上に形成された表示画面であり、透光性を有しているので、風にはためいて遊技盤前面に移動しても遊技者の視野を妨げず、その表示画像によって、より遊技者を楽しませることができる。このような装飾部を遊技機５００に装着することにより、より遊技者にとって、遊技意欲が高められる魅力的な遊技機５２５とすることができる（図５（Ｅ）参照。）。図５の装飾部は例であり、本発明はそれに限定されない。装飾部は、自由なデザインでその対象となる遊技者の年齢層、性別などや、遊技の内容、季節等に合わせて適宜設定すればよい。
【００９１】
装飾部は、実施の形態２で示した表示装置のように形成すればよいが、比較的頻繁に、取りかえることを考慮すると、低コストで作製できる方が好ましい。印刷法、スプレー法、スピン塗布法、液滴吐出法などを用いて形成すると、選択的に導電層、絶縁層、発光層などが形成することができるため工程が簡略化し、低コスト化できる。
【００９２】
本実施の形態では、装飾部を表示画面５０２前面には設けない構成を示したが、透光性の表示画面を重ねるように設けても良い。また、表示画面前面に、液状やジェル状の、透過する光の波長や強度を変化させるような物質を有するカバーを設けて、より複雑な表示を行ってもよい。
【００９３】
よって、本発明の遊技機は、刺激的な多彩な画像と、表示画面に映し出される入力手段を用いた多様な操作方法によって、自分独自の遊技を楽しむことができ、多いに遊技意欲を高めることができる。
【００９４】
（実施の形態５）
本実施の形態では、実施の形態１乃至４で示す表示装置に用いることができる、表示内容に応じて階調を高める場合について説明する。
【００９５】
図６（Ａ）には、表示装置の画素部１０５及び駆動回路部１０８のシステムブロック図を示す。画素部１０５では、信号線１１２及び走査線１１０が交差している。画素部１０５は、複数の画素を有し、各画素となる信号線１１２と、走査線１１０との交点には、スイッチング素子が設けられている。スイッチング素子により発光素子の電位を制御することができる。なお本発明の画素部は、このようなアクティブ型に限定されず、パッシブ型の構成を有してもよい。パッシブ型は、各交点にスイッチング素子がないため、工程が簡便であり、開口率を高めることができる。
【００９６】
駆動回路部１０８は、制御回路１０２、信号線駆動回路１０３、走査線駆動回路１０４を有する。制御回路１０２、画素部１０５の表示内容に応じて、階調制御を行う機能を有しており、例えば画素部１０５の表示内容に応じて、画素部１０５の任意箇所の階調を高める機能を有する。具体的には、制御回路１０２では、信号線１１２へ供給する電位を高める信号が生成され、該信号は、コントローラ１０９に入力される。その結果、信号線１１２と走査線１１０との交点に設けられた発光素子は、通常より高輝度な発光を行い、高階調表示を行うことができる。
【００９７】
またコントローラ１０９は、該制御回路１０２からの信号を信号線駆動回路１０３、及び走査線駆動回路１０４に入力する機能を有している。なお上述のように、発光素子が通常より高輝度な発光を行う場合、高階調表示以外の領域であるグレー表示領域の階調を低くし、よりコントラストを高めることができる。例えば、発光素子へ供給される電流を少なくするため、発光素子へ接続される電源線の電位を高くする。
【００９８】
その結果、表示内容に応じた高階調表示を、画素部１０５の任意の箇所において、行うことができる。
【００９９】
図６（Ｃ）に示すように信号線駆動回路１０３は、シフトレジスタ１３１、第１のラッチ１３２、第２のラッチ１３３、レベルシフタ１３４、バッファ１３５として機能する回路を有する。レベルシフタ１３４には、スタートパルス（ＳＳＰ）等の信号が、第１のラッチ１３２にはビデオ信号等のデータ（ＤＡＴＡ）が、第２のラッチ１３３にはラッチ（ＬＡＴ）信号等がそれぞれ入力される。なお、本発明の信号線駆動回路はこれに限定されない。
【０１００】
図６（Ｂ）に示すように走査線駆動回路１０４は、シフトレジスタ１４１、レベルシフタ１４２、バッファ１４３として機能する回路を有する。シフトレジスタ１４１にはゲートスタートパルス（ＧＳＰ）、ゲートクロック信号（ＧＣＫ）等の信号が入力される。なお、本発明の走査線駆動回路はこれに限定されない。
【０１０１】
このような信号線駆動回路１０３、走査線駆動回路１０４、画素部１０５は、同一基板状に設けられた半導体素子によって形成することができる。例えば、ガラス基板に設けられた薄膜トランジスタを用いて形成することができる。また、信号線駆動回路１０３や走査線駆動回路１０４は、ＩＣチップを用いて、基板上に実装することもできる。
【０１０２】
このように、本発明は制御回路１０２により、表示内容に応じて、高階調表示を行うことができる表示装置を提供することができる。
【０１０３】
（実施の形態６）
本実施の形態では、本実施の形態１乃至５における表示装置が有することのできる画素の等価回路について、図８を用いて説明する。
【０１０４】
図８（Ａ）は、画素の等価回路の一例を示したものであり、信号線７１２、電源線７１５、走査線７１０それらの交点に発光素子７０８、トランジスタ７０３、７１１、容量素子７０４を有する画素の等価回路である。
【０１０５】
このような等価回路において、信号線１１２には信号線駆動回路から、映像信号が入力される。トランジスタ７１１は、スイッチング用トランジスタと呼び、走査線７１０に入力される選択信号に従って、トランジスタ７０３のゲートへの、該映像信号の電位の供給を制御することができる。トランジスタ７０３は、駆動用トランジスタと呼び、該映像信号の電位に従って、発光素子７０８への電流の供給を制御することができる。供給される電流に伴う発光素子の発光状態により、表示を行うことができる。容量素子７０４は、トランジスタ７０３のゲート・ソース間の電圧を保持することができる。なお、図８（Ａ）では、容量素子７０４を図示したが、トランジスタ７０３のゲート容量や他の寄生容量で賄うことが可能な場合には、設けなくてもよい。
【０１０６】
図８（Ｂ）は、図８（Ａ）に示した画素の等価回路に、新たに走査線７１９、トランジスタ７１８を設けた画素の等価回路である。
【０１０７】
トランジスタ７１８は、消去用トランジスタと呼び、トランジスタ７０３のゲートとソースを同電位とし、強制的に発光素子７０８に電流が流れない状態を作ることができる。そのため、時間階調表示において、全画素に映像信号が入力され終わる前に、次に映像信号を入力することができ、デューティー比を高くすることができる。
【０１０８】
図８（Ｃ）は、図８（Ｂ）に示した画素の等価回路に、新たにトランジスタ７２５と、配線７２６を設けた画素の等価回路である。トランジスタ７２５は、そのゲートの電位が、配線７２６によって固定されている。そして、トランジスタ７０３とトランジスタ７２５は、電源線７１５と発光素子７０８との間に直列に接続されている。よって図８（Ｃ）では、トランジスタ７２５により発光素子７０８に供給される電流の値が制御され、トランジスタ７０３により発光素子７０８への該電流の供給の有無が制御できる。
【０１０９】
以上、図８（Ａ）（Ｂ）（Ｃ）に示した画素の等価回路は、デジタル方式で駆動させることができる。デジタル方式で駆動させる場合、各駆動用トランジスタに多少の電気特性ばらつきがあっても、スイッチング素子として使用するため、問題にならない。
【０１１０】
本発明の表示装置が有する画素の等価回路は、デジタル方式であっても、アナログ方式であっても駆動させることができる。例えば図８（Ｄ）に示す画素の等価回路は、信号線７１２、電源線７１５、走査線７１０、それらの交点に発光素子７０８、トランジスタ７１１、７２０、７２１、容量素子７０４を有する。図８（Ｄ）において、トランジスタ７２０、７２１はカレントミラー回路を構成しており、ｐ型のトランジスタからなる。このような画素の等価回路では、デジタル方式の場合、信号線７１２からデジタルビデオ信号が入力され、時間階調により発光素子７０８に供給される電流の値が制御される。またアナログ方式の場合、信号線７１２からアナログビデオ信号が入力され、その値に応じて発光素子７０８に供給される電流の値が制御される。アナログ方式で駆動させる場合、低消費電力化を図ることができる。
【０１１１】
以上のような画素において、信号線７１２、電源線７１５、配線７２６には、信号線駆動回路から信号が入力される。また走査線７１０、７１９には、走査線駆動回路から信号が入力される。信号線駆動回路や走査線駆動回路は、単数、又は複数設けることができる。例えば、画素部７０５を介して第１の走査線駆動回路、第２の走査線駆動回路を設けることができる。
【０１１２】
また図８（Ａ）に示す画素において、図８（Ｂ）を用いて説明したように、強制的に発光素子７０８に電流が流れない状態を作ることができる。例えば、第１の走査線駆動回路により、発光素子７０８が点灯するタイミングで、トランジスタ７１１を選択し、第２の走査線駆動回路により発光素子７０８へ強制的に電流が流れないような信号を走査線７１０に供給する。強制的に電流が流れないような信号（Ｗｒｉｔｅ  Ｅｒａｓｅ  Ｓｉｇｎａｌ）とは、発光素子７０８の第１の電極と、第２の電極とが同電位となるための電位を与える信号である。このように、駆動方法によっても、強制的に発光素子７０８に電流が流れない状態を作ることができ、デューティー比を高めることができる。
【０１１３】
消去用トランジスタであるトランジスタ７１８の代わりに、消去ダイオード２２１１を用いた場合の画素構成の例を図１２に示す。選択トランジスタ２１０１、駆動トランジスタ２１０３、消去ダイオード２２１１、発光素子２１０４が配置されている。選択トランジスタ２１０１のソースとドレインは各々、信号線２１０５と駆動トランジスタ２１０３のゲートに接続されている。選択トランジスタ２１０１のゲートは、第１ゲート線２１０７に接続されている。駆動トランジスタ２１０３のソースとドレインは各々、電源線２１０６と発光素子２１０４に接続されている。消去ダイオード２２１１は、駆動トランジスタ２１０３のゲートと第２ゲート線２１１７に接続されている。
【０１１４】
保持容量２１０２は、駆動トランジスタ２１０３のゲート電位を保持する役目をしている。よって、駆動トランジスタ２１０３のゲートと電源線２１０６の間に接続されているが、これに限定されない。駆動トランジスタ２１０３のゲート電位を保持できるように配置されていればよい。また、駆動トランジスタ２１０３のゲート容量などを用いて、駆動トランジスタ２１０３のゲート電位を保持できる場合は、保持容量２１０２を省いても良い。
【０１１５】
動作方法としては、第１ゲート線２１０７を選択して、選択トランジスタ２１０１をオン状態にして、信号線２１０５から信号を保持容量２１０２に入力する。すると、その信号に応じて、駆動トランジスタ２１０３の電流が制御され、第１電源線２１０６から、発光素子２１０４を通って、第２電源線２１０８に電流が流れる。
【０１１６】
信号を消去したい場合は、第２ゲート線２１１７を選択（ここでは、高い電位にする）して、消去ダイオード２２１１がオンして、第２ゲート線２１１７から駆動トランジスタ２１０３のゲートへ電流が流れるようにする。その結果、駆動トランジスタ２１０３がオフ状態になる。すると、第１電源線２１０６から、発光素子２１０４を通って、第２電源線２１０８には、電流が流れないようになる。その結果、非点灯期間を作ることができ、点灯期間の長さを自由に制御できるようになる。
【０１１７】
信号を保持しておきたい場合は、第２ゲート線２１１７を非選択（ここでは、低い電位にする）しておく。すると、消去ダイオード２１１１がオフするので、駆動トランジスタ２１０３のゲート電位は保持される。
【０１１８】
なお、消去ダイオード２１１１は、整流性がある素子であれば、どのようなものでもよい。ＰＮ型ダイオードでもよいし、ＰＩＮ型ダイオードでもよいし、ショットキー型ダイオードでもよいし、ツェナー型ダイオードでもよい。
【０１１９】
また、トランジスタを用いて、ダイオード接続（ゲートとドレインを接続）して、用いても良い。本実施の形態では、消去ダイオード２２１１として、ダイオード接続したトランジスタを用いている。ここでは、Ｎチャネル型を用いているが、これに限定されない。Ｐチャネル型を用いても良い。
【０１２０】
このように表示装置が有する画素の等価回路は、多くの形態をとることができ、本実施の形態は、実施の形態１乃至５それぞれの遊技機の有する表示装置に適用することができる。
【０１２１】
（実施の形態７）
本実施の形態では、グレー表示の領域において、発光素子へ供給する電圧又は電流の値を制御するシステム及び構造について説明する。なお発光素子７５０へ供給する電圧又は電流は、第１の電極７５１と、第２の電極７５２と電位差によって決定することができる。本実施の形態では、第２の電極７５２を各発光素子で共有するため、第１の電極７５１の電位を制御する場合で説明するが、これに限定されるものではなく、第２の電極７５２の電位を制御してもよい。
【０１２２】
図７（Ａ）に示すように、制御回路１０２は、フレームメモリ１８０を有しており、映像信号１０１は、フレームメモリ１８０に保存される。フレームメモリ１８０は、例えば１フレーム分の映像信号を保存することができる。保存された映像信号、つまり映像情報を、判定回路１８１が高階調表示を行うか否か判断する。このとき、高階調表示を行う場合は、映像信号１０１が中間階調領域になだらかに分布しているのではなく、高階調領域と、低階調領域とに分かれて分布しているため、この分布の程度により、高階調表示を行うか否かを判断することができる。また加えて、多く分布する高階調領域の階調数と、低階調領域の階調数との差の程度により、高階調表示を行うか否かを判断することができる。高階調表示を行うと判断する輝度分布の基準は、使用者や設計者により決定すればよい。
【０１２３】
判定回路１８１により、高階調表示を行うと判断されると、変換回路１８２により、映像信号の階調数が変換され、コントローラ１０９を介して信号線駆動回路１０３に入力される。表示装置は各発光素子７５０へ供給する電流量を制御することにより、画素部１０５の任意の箇所に対して、高階調表示を行うことができる。そのため高階調表示を行う領域の階調数を高め、グレー表示を行う領域の階調数を低めるように、階調数は変換される。高められた階調数に応じた信号は、信号線駆動回路１０３から信号線１１２に入力され、発光素子の第１の電極７５１の電位を、高くなるように制御すればよい。このとき、高くする電位は、第１乃至第３の電位というように、複数の電位状態となるようにしてもよい。勿論、単数の電位状態であってもよい。また低められた階調数に応じた信号が、信号線駆動回路１０３から信号線１１２に入力されると、発光素子の第１の電極７５１の電位は低くなるように制御される。その結果、発光素子７５０は、表示内容に応じて、所定の画素が有する発光素子の輝度を高めることができる。
【０１２４】
別の形態であるが第２の電極７５２の電位を制御する場合、第２の電極７５２は発光素子７５０で共有されるため、全発光素子における第２の電極７５２の電位が同様に制御されてしまう。具体的には、高階調表示を行うため、全発光素子の第２の電極７５２の電位は、下げるように制御される。そのため、高階調表示以外であるグレー表示領域においては、選択的に発光素子の第２の電極７５２の電位を下げるように制御する。その結果、高階調表示を行わないグレー表示領域の輝度が上昇することを防止できる。
【０１２５】
勿論、第２の電極７５２を発光素子７５０で共有することなく、所望の形状に加工し、それぞれ第２の電極７５２の電位を制御することにより、信号線１１２の電位の制御を行わなくともよい。
【０１２６】
具体的には、図７（Ｂ）に示すような、第１の電極７５１と、第２の電極７５２との間に設けられた発光物質を含む層７５３のモデル図を用いて説明する。上述のように高階調表示を行うとき、所定の領域のみ（図７（Ｂ）では、端の領域のみ）が高階調表示を行う場合、高階調表示を行う領域に設けられた発光物質を含む層７５３が高電位となるように、信号線１１２からの信号によって、第１の電極７５１の電位を制御する。
【０１２７】
また別の形態として、図７（Ｃ）に示すように、共有された第２の電極７５２の電位を制御して高階調表示を行う場合、全発光素子の第２の電極７５２の電位が低電位にとなるため、その他の領域の輝度を維持するため、選択的に第１の電極７５１の電位を低電位とする。
【０１２８】
以上の結果、所定の領域のみ高階調表示を行うことができ、その他の領域では輝度上昇が防止された表示を行うことができる。
【０１２９】
このような制御方法は、アナログ方式の表示の場合、適用することができる。なおデジタル方式の表示の場合、上記のようなグレー表示を行う領域においては、点灯時間を短くするように制御すればよい。例えば消去用トランジスタを用いて、発光素子７５０を強制的に消去させればよい。
【０１３０】
このようにして、発光素子へ供給する電圧、又は電流を制御し、その輝度自体を高めた高階調表示を行うことができる。またグレー表示においては、その階調を低くすることができる。本実施の形態を、実施の形態１乃至４で示すそれぞれの遊技機の表示装置に適用することによって、表示内容に応じて階調を高めるといった効果を奏することができる。
【０１３１】
なお本実施の形態では、アクティブ型の表示装置を用いて説明したが、パッシブ型の表示装置であっても、表示内容に応じて高階調表示領域の輝度を高めることができる。
【０１３２】
（実施の形態８）
本発明の発光素子には本実施の形態では、本発明の発光素子に適用することのできる他の構成を、図１４及び図１５を用いて説明する。
【０１３３】
エレクトロルミネセンスを利用する発光素子は、発光材料が有機化合物であるか、無機化合物であるかによって区別され、一般的に、前者は有機ＥＬ素子、後者は無機ＥＬ素子と呼ばれている。
【０１３４】
無機ＥＬ素子は、その素子構成により、分散型無機ＥＬ素子と薄膜型無機ＥＬ素子とに分類される。前者は、発光材料の粒子をバインダ中に分散させた電界発光層を有し、後者は、発光材料の薄膜からなる電界発光層を有している点に違いはあるが、高電界で加速された電子を必要とする点では共通である。なお、得られる発光のメカニズムとしては、ドナー準位とアクセプター準位を利用するドナー−アクセプター再結合型発光と、金属イオンの内殻電子遷移を利用する局在型発光とがある。一般的に、分散型無機ＥＬではドナー−アクセプター再結合型発光、薄膜型無機ＥＬ素子では局在型発光である場合が多い。
【０１３５】
本発明で用いることのできる発光材料は、母体材料と発光中心となる不純物元素とで構成される。含有させる不純物元素を変化させることで、様々な色の発光を得ることができる。発光材料の作製方法としては、固相法や液相法（共沈法）などの様々な方法を用いることができる。また、噴霧熱分解法、複分解法、プレカーサーの熱分解反応による方法、逆ミセル法やこれらの方法と高温焼成を組み合わせた方法、凍結乾燥法などの液相法なども用いることができる。
【０１３６】
固相法は、母体材料と、不純物元素又は不純物元素を含む化合物を秤量し、乳鉢で混合、電気炉で加熱、焼成を行い反応させ、母体材料に不純物元素を含有させる方法である。焼成温度は、７００〜１５００℃が好ましい。温度が低すぎる場合は固相反応が進まず、温度が高すぎる場合は母体材料が分解してしまうからである。なお、粉末状態で焼成を行ってもよいが、ペレット状態で焼成を行うことが好ましい。比較的高温での焼成を必要とするが、簡単な方法であるため、生産性がよく大量生産に適している。
【０１３７】
液相法（共沈法）は、母体材料又は母体材料を含む化合物と、不純物元素又は不純物元素を含む化合物を溶液中で反応させ、乾燥させた後、焼成を行う方法である。発光材料の粒子が均一に分布し、粒径が小さく低い焼成温度でも反応が進むことができる。
【０１３８】
発光材料に用いる母体材料としては、硫化物、酸化物、窒化物を用いることができる。硫化物としては、例えば、硫化亜鉛（ＺｎＳ）、硫化カドミウム（ＣｄＳ）、硫化カルシウム（ＣａＳ）、硫化イットリウム（Ｙ２Ｓ３）、硫化ガリウム（Ｇａ２Ｓ３）、硫化ストロンチウム（ＳｒＳ）、硫化バリウム（ＢａＳ）等を用いることができる。また、酸化物としては、例えば、酸化亜鉛（ＺｎＯ）、酸化イットリウム（Ｙ２Ｏ３）等を用いることができる。また、窒化物としては、例えば、窒化アルミニウム（ＡｌＮ）、窒化ガリウム（ＧａＮ）、窒化インジウム（ＩｎＮ）等を用いることができる。さらに、セレン化亜鉛（ＺｎＳｅ）、テルル化亜鉛（ＺｎＴｅ）等も用いることができ、硫化カルシウム−ガリウム（ＣａＧａ２Ｓ４）、硫化ストロンチウム−ガリウム（ＳｒＧａ２Ｓ４）、硫化バリウム−ガリウム（ＢａＧａ２Ｓ４）、等の３元系の混晶であってもよい。
【０１３９】
局在型発光の発光中心として、マンガン（Ｍｎ）、銅（Ｃｕ）、サマリウム（Ｓｍ）、テルビウム（Ｔｂ）、エルビウム（Ｅｒ）、ツリウム（Ｔｍ）、ユーロピウム（Ｅｕ）、セリウム（Ｃｅ）、プラセオジウム（Ｐｒ）などを用いることができる。なお、電荷補償として、フッ素（Ｆ）、塩素（Ｃｌ）などのハロゲン元素が添加されていてもよい。
【０１４０】
一方、ドナー−アクセプター再結合型発光の発光中心として、ドナー準位を形成する第１の不純物元素及びアクセプター準位を形成する第２の不純物元素を含む発光材料を用いることができる。第１の不純物元素は、例えば、フッ素（Ｆ）、塩素（Ｃｌ）、アルミニウム（Ａｌ）等を用いることができる。第２の不純物元素としては、例えば、銅（Ｃｕ）、銀（Ａｇ）等を用いることができる。
【０１４１】
ドナー−アクセプター再結合型発光の発光材料を固相法を用いて合成する場合、母体材料と、第１の不純物元素又は第１の不純物元素を含む化合物と、第２の不純物元素又は第２の不純物元素を含む化合物をそれぞれ秤量し、乳鉢で混合した後、電気炉で加熱、焼成を行う。母体材料としては、上述した母体材料を用いることができ、第１の不純物元素又は第１の不純物元素を含む化合物としては、例えば、フッ素（Ｆ）、塩素（Ｃｌ）、硫化アルミニウム（Ａｌ２Ｓ３）等を用いることができ、第２の不純物元素又は第２の不純物元素を含む化合物としては、例えば、銅（Ｃｕ）、銀（Ａｇ）、硫化銅（Ｃｕ２Ｓ）、硫化銀（Ａｇ２Ｓ）等を用いることができる。焼成温度は、７００〜１５００℃が好ましい。温度が低すぎる場合は固相反応が進まず、温度が高すぎる場合は母体材料が分解してしまうからである。なお、粉末状態で焼成を行ってもよいが、ペレット状態で焼成を行うことが好ましい。
【０１４２】
また、固相反応を利用する場合の不純物元素として、第１の不純物元素と第２の不純物元素で構成される化合物を組み合わせて用いてもよい。この場合、不純物元素が拡散されやすく、固相反応が進みやすくなるため、均一な発光材料を得ることができる。さらに、余分な不純物元素が入らないため、純度の高い発光材料が得ることができる。第１の不純物元素と第２の不純物元素で構成される化合物としては、例えば、塩化銅（ＣｕＣｌ）、塩化銀（ＡｇＣｌ）等を用いることができる。
【０１４３】
なお、これらの不純物元素の濃度は、母体材料に対して０．０１〜１０ａｔｏｍ％であればよく、好ましくは０．０５〜５ａｔｏｍ％の範囲である。
【０１４４】
薄膜型無機ＥＬの場合、電界発光層は、上記発光材料を含む層であり、抵抗加熱蒸着法、電子ビーム蒸着（ＥＢ蒸着）法等の真空蒸着法、スパッタリング法等の物理気相成長法（ＰＶＤ）、有機金属ＣＶＤ法、ハイドライド輸送減圧ＣＶＤ法等の化学気相成長法（ＣＶＤ）、原子エピタキシ法（ＡＬＥ）等を用いて形成することができる。
【０１４５】
図１４（Ａ）乃至（Ｃ）に発光素子として用いることのできる薄膜型無機ＥＬ素子の一例を示す。図１４（Ａ）乃至（Ｃ）において、発光素子は、第１の電極層５０、電界発光層５１、第２の電極層５３を含む。
【０１４６】
図１４（Ｂ）及び図１４（Ｃ）に示す発光素子は、図１４（Ａ）の発光素子において、電極層と電界発光層間に絶縁層を設ける構造である。図１４（Ｂ）に示す発光素子は、第１の電極層５０と電界発光層５２との間に絶縁層５４を有し、図１４（Ｃ）に示す発光素子は、第１の電極層５０と電界発光層５２との間に絶縁層５４ａ、第２の電極層５３と電界発光層５２との間に絶縁層５４ｂとを有している。このように絶縁層は電界発光層を狭持する一対の電極層のうち一方の間にのみ設けてもよいし、両方の間に設けてもよい。また絶縁層は単層でもよいし複数層からなる積層でもよい。
【０１４７】
また、図１４（Ｂ）では第１の電極層５０に接するように絶縁層５４が設けられているが、絶縁層と電界発光層の順番を逆にして、第２の電極層５３に接するように絶縁層５４を設けてもよい。
【０１４８】
分散型無機ＥＬの場合、粒子状の発光材料をバインダ中に分散させ膜状の電界発光層を形成する。粒子状に加工する。発光材料の作製方法によって、十分に所望の大きさの粒子が得られない場合は、乳鉢等で粉砕などによって粒子状に加工すればよい。バインダとは、粒状の発光材料を分散した状態で固定し、電界発光層としての形状に保持するための物質である。発光材料は、バインダによって電界発光層中に均一に分散し固定される。
【０１４９】
分散型無機ＥＬの場合、電界発光層の形成方法は、選択的に電界発光層を形成できる液滴吐出法や、印刷法（スクリーン印刷やオフセット印刷など）、スピンコート法などの塗布法、ディッピング法、ディスペンサ法などを用いることもできる。膜厚は特に限定されることはないが、好ましくは、１０〜１０００ｎｍの範囲である。また、発光材料及びバインダを含む電界発光層において、発光材料の割合は５０ｗｔ％以上８０ｗｔ％以下とするよい。
【０１５０】
図１５（Ａ）乃至（Ｃ）に発光素子として用いることのできる分散型無機ＥＬ素子の一例を示す。図１５（Ａ）における発光素子は、第１の電極層６０、電界発光層６２、第２の電極層６３の積層構造を有し、電界発光層６２中にバインダによって保持された発光材料６１を含む。
【０１５１】
本実施の形態に用いることのできるバインダとしては、絶縁材料を用いることができ、有機材料や無機材料を用いることができ、有機材料及び無機材料の混合材料を用いてもよい。有機絶縁材料としては、シアノエチルセルロース系樹脂のように、比較的誘電率の高いポリマーや、ポリエチレン、ポリプロピレン、ポリスチレン系樹脂、シリコーン樹脂、エポキシ樹脂、フッ化ビニリデンなどの樹脂を用いることができる。また、芳香族ポリアミド、ポリベンゾイミダゾール（ｐｏｌｙｂｅｎｚｉｍｉｄａｚｏｌｅ）などの耐熱性高分子、又はシロキサン樹脂を用いてもよい。なお、シロキサン樹脂とは、Ｓｉ−Ｏ−Ｓｉ結合を含む樹脂に相当する。シロキサンは、シリコン（Ｓｉ）と酸素（Ｏ）との結合で骨格構造が構成される。置換基として、少なくとも水素を含む有機基（例えばアルキル基、芳香族炭化水素）が用いられる。置換基として、フルオロ基を用いてもよい。または置換基として、少なくとも水素を含む有機基と、フルオロ基とを用いてもよい。また、ポリビニルアルコール、ポリビニルブチラールなどのビニル樹脂、フェノール樹脂、ノボラック樹脂、アクリル樹脂、メラミン樹脂、ウレタン樹脂、オキサゾール樹脂（ポリベンゾオキサゾール）等の樹脂材料を用いてもよい。また、を用いることもでき、例えば光硬化型などを用いることができる。これらの樹脂に、チタン酸バリウム（ＢａＴｉＯ３）やチタン酸ストロンチウム（ＳｒＴｉＯ３）などの高誘電率の微粒子を適度に混合して誘電率を調整することもできる。
【０１５２】
バインダに含まれる無機絶縁材料としては、酸化珪素（ＳｉＯｘ）、窒化珪素（ＳｉＮｘ）、酸素及び窒素を含む珪素、窒化アルミニウム（ＡｌＮ）、酸素及び窒素を含むアルミニウムまたは酸化アルミニウム（Ａｌ２Ｏ３）、酸化チタン（ＴｉＯ２）、ＢａＴｉＯ３、ＳｒＴｉＯ３、チタン酸鉛（ＰｂＴｉＯ３）、ニオブ酸カリウム（ＫＮｂＯ３）、ニオブ酸鉛（ＰｂＮｂＯ３）、酸化タンタル（Ｔａ２Ｏ５）、タンタル酸バリウム（ＢａＴａ２Ｏ６）、タンタル酸リチウム（ＬｉＴａＯ３）、酸化イットリウム（Ｙ２Ｏ３）、酸化ジルコニウム（ＺｒＯ２）、ＺｎＳその他の無機絶縁性材料を含む物質から選ばれた材料で形成することができる。有機材料に、誘電率の高い無機材料を含ませる（添加等によって）ことによって、発光材料及びバインダよりなる電界発光層の誘電率をより制御することができ、より誘電率を大きくすることができる。
【０１５３】
作製工程において、発光材料はバインダを含む溶液中に分散されるが本実施の形態に用いることのできるバインダを含む溶液の溶媒としては、バインダ材料が溶解し、電界発光層を形成する方法（各種ウエットプロセス）及び所望の膜厚に適した粘度の溶液を作製できるような溶媒を適宜選択すればよい。有機溶媒等を用いることができ、例えばバインダとしてシロキサン樹脂を用いる場合は、プロピレングリコールモノメチルエーテル、プロピレングリコールモノメチルエーテルアセテート（ＰＧＭＥＡともいう）、３−メトシキ−３メチル−１−ブタノール（ＭＭＢともいう）などを用いることができる。
【０１５４】
図１５（Ｂ）及び図１５（Ｃ）に示す発光素子は、図１５（Ａ）の発光素子において、電極層と電界発光層間に絶縁層を設ける構造である。図１５（Ｂ）に示す発光素子は、第１の電極層６０と電界発光層６２との間に絶縁層６４を有し、図１５（Ｃ）に示す発光素子は、第１の電極層６０と電界発光層６２との間に絶縁層６４ａ、第２の電極層６３と電界発光層６２との間に絶縁層６４ｂとを有している。このように絶縁層は電界発光層を狭持する一対の電極層のうち一方の間にのみ設けてもよいし、両方の間に設けてもよい。また絶縁層は単層でもよいし複数層からなる積層でもよい。
【０１５５】
また、図１５（Ｂ）では第１の電極層６０に接するように絶縁層６４が設けられているが、絶縁層と電界発光層の順番を逆にして、第２の電極層６３に接するように絶縁層６４を設けてもよい。
【０１５６】
図１４における絶縁層５４、図１５における絶縁層６４のような絶縁層は、特に限定されることはないが、絶縁耐性が高く、緻密な膜質であることが好ましく、さらには、誘電率が高いことが好ましい。例えば、酸化シリコン（ＳｉＯ２）、酸化イットリウム（Ｙ２Ｏ３）、酸化チタン（ＴｉＯ２）、酸化アルミニウム（Ａｌ２Ｏ３）、酸化ハフニウム（ＨｆＯ２）、酸化タンタル（Ｔａ２Ｏ５）、チタン酸バリウム（ＢａＴｉＯ３）、チタン酸ストロンチウム（ＳｒＴｉＯ３）、チタン酸鉛（ＰｂＴｉＯ３）、窒化シリコン（Ｓｉ３Ｎ４）、酸化ジルコニウム（ＺｒＯ２）等やこれらの混合膜又は２種以上の積層膜を用いることができる。これらの絶縁膜は、スパッタリング、蒸着、ＣＶＤ等により成膜することができる。また、絶縁層はこれら絶縁材料の粒子をバインダ中に分散して成膜してもよい。バインダ材料は、電界発光層に含まれるバインダと同様な材料、方法を用いて形成すればよい。膜厚は特に限定されることはないが、好ましくは１０〜１０００ｎｍの範囲である。
【０１５７】
本実施の形態で示す発光素子は、電界発光層を狭持する一対の電極層間に電圧を印加することで発光が得られるが、直流駆動又は交流駆動のいずれにおいても動作することができる。
【０１５８】
上記の発光素子を有する表示装置を本発明の遊技機に適宜具備することができ、多彩な画像を表示することができる。よって、本発明の遊技機は、刺激的な多彩な画像と、表示画面に映し出される入力手段を用いた多様な操作方法によって、自分独自の遊技を楽しむことができ、多いに遊技意欲を高めることができる。
【図面の簡単な説明】
【０１５９】
【図１】本発明の遊技機を説明する図。
【図２】本発明の遊技機を説明する図。
【図３】本発明の遊技機を説明する図。
【図４】本発明の遊技機を説明する図。
【図５】本発明の遊技機を説明する図。
【図６】本発明の遊技機の有する表示装置に適用できるシステムを説明する図。
【図７】本発明の遊技機の有する表示装置に適用できるシステムを説明する図。
【図８】本発明の遊技機の有する表示装置に適用できる画素回路を説明する図。
【図９】本発明の遊技機の有する表示装置を説明する図。
【図１０】本発明の遊技機に適用できる入力手段を説明する図。
【図１１】本発明の遊技機に適用できる入力手段を説明する図。
【図１２】本発明の遊技機の有する表示装置に適用できる画素回路を説明する図。
【図１３】本発明の遊技機の有する表示装置の断面図を説明する図。
【図１４】本発明に適用できる発光素子の構成を説明する図。
【図１５】本発明に適用できる発光素子の構成を説明する図。
【図１】
2006289068.tif 000003
【図２】
2006289068.tif 000004
【図３】
2006289068.tif 000005
【図４】
2006289068.tif 000006
【図５】
2006289068.tif 000007
【図６】
2006289068.tif 000008
【図７】
2006289068.tif 000009
【図８】
2006289068.tif 000010
【図９】
2006289068.tif 000011
【図１０】
2006289068.tif 000012
【図１１】
2006289068.tif 000013
【図１２】
2006289068.tif 000014
【図１３】
2006289068.tif 000015
【図１４】
2006289068.tif 000016
【図１５】
2006289068.tif 000017